(57)【要約】【課題】部品分離作業の効率を向上させることができる。【解決手段】表示画面１６ａを有した表示装置１６と、前記表示装置１６が収容され、前記表示画面が露出された第１開口部２３１と、この第１開口部２３１周辺に位置する第２開口部２３２とが設けられた筐体２３と、前記筐体２３に取り付けられ、前記第２開口部２３２を覆った覆い部材２２と、前記筐体２３内に設けられるとともに前記覆い部材２２から離れて位置し、該覆い部材２２とは反対側から前記第２開口部２３１の少なくとも一部を覆った覆い部３０１とを具備する。【選択図】  図８
2011158670.tif 000002
【特許請求の範囲】
【請求項１】
表示画面を有した表示装置と、
前記表示装置が収容され、前記表示画面が露出された第１開口部と、この第１開口部周辺に位置する第２開口部とが設けられた筐体と、
前記筐体に取り付けられ、前記第２開口部を覆った覆い部材と、
前記筐体内に設けられるとともに前記覆い部材から離れて位置し、該覆い部材とは反対側から前記第２開口部の少なくとも一部を覆った覆い部と、
を具備することを特徴とする電子機器。
【請求項２】
前記覆い部は、前記筐体の前記第２開口部近傍から突出したことを特徴とする請求項１に記載の電子機器。
【請求項３】
前記覆い部材は、前記表示画面を露出させた第３開口部が設けられた枠形状を有することを特徴とする請求項２に記載の電子機器。
【請求項４】
前記第２開口部は、前記表示画面の角部近傍に位置することを特徴とする請求項３に記載の電子機器。
【請求項５】
前記筐体は、支持部を有し、
前記覆い部材は、第１端部と、この第１端部よりも前記支持部から離れて位置した第２端部とを有し、
前記第２開口部は、前記第１端部よりも前記第２端側に位置することを特徴とする請求項４に記載の電子機器。
【請求項６】
前記覆い部には、前記支持部とは反対側に開口され、第２開口部を前記筐体内部に露出させた第４開口部が設けられたことを特徴とする請求項５に記載の電子機器。
【請求項７】
前記覆い部には、前記支持部とは反対側に開口され、第２開口部を前記筐体内部に露出させた第４開口部が設けられたことを特徴とする請求項６に記載の電子機器。
【請求項８】
前記覆い部の少なくとも一部の肉厚は、該覆い部周辺の領域よりも厚いことを特徴とする請求項７に記載の電子機器。
【請求項９】
前記筐体は、前記第１開口部と前記第２開口部と前記覆い部とが設けられた第１部材と、第２部材と、前記第１部材と前記第２部材とを固定させる固定部材が挿入されたボス部とを有し、
前記覆い部は、前記ボス部に設けられたことを特徴とする請求項８に記載の電子機器。
【請求項１０】
前記筐体は、前記第１開口部と、該第１開口部周縁を囲んだリブとが設けられたカバー部材を有し、
前記覆い部は、前記リブに設けられたことを特徴とする請求項８に記載の電子機器。
【発明の詳細な説明】
【技術分野】
【０００１】
本発明は、電子機器に関する。
【背景技術】
【０００２】
大画面化に適したプラズマディスプレイ装置が開示されている。このプラズマディスプレイ装置は、表示画面となるパネルと、パネルを保持するシャーシと、パネルの前面を覆う前面保護カバーと、を備えている。前面保護カバーは、開口部を有する前面枠と、この開口部に取り付けられる樹脂やガラス等からなる保護板と、保護板を内側から押さえるための保護板押さえ金具と、を有する。
【０００３】
このプラズマディスプレイ装置において、保護板は、開口部の周縁部と、保護板押さえ金具との間に挟まれることにより、前面枠に対して取り付けられている（例えば、特許文献１参照）。
【先行技術文献】
【特許文献】
【０００４】
【特許文献１】特開２００７−１９９７０５号公報
【発明の概要】
【発明が解決しようとする課題】
【０００５】
ところで、大画面のテレビ等において、前面枠と保護板又は加飾用の化粧板との間の固定に両面テープを用いることがある。このとき、前面枠と保護板・化粧板との間にゴミが入ったり、前面枠に傷等があったりする不具合を生じると、前面枠と保護板・化粧板とを分離して再度組み直す必要があるが、これらの作業を効率良く行える構成が求められる。
本発明の目的の一つは、部品分離作業の効率を向上させることができる電子機器を提供することにある。
【課題を解決するための手段】
【０００６】
前記目的を達成するため、本発明の一つの形態は、表示画面を有した表示装置と、前記表示装置が収容され、前記表示画面が露出された第１開口部と、この第１開口部周辺に位置する第２開口部とが設けられた筐体と、前記筐体に取り付けられ、前記第２開口部を覆った覆い部材と、前記筐体内に設けられるとともに前記覆い部材から離れて位置し、該覆い部材とは反対側から前記第２開口部の少なくとも一部を覆った覆い部と、を具備することを特徴とする。
【発明の効果】
【０００７】
上記の構成によれば、部品分離作業の効率を向上させることができる。
【図面の簡単な説明】
【０００８】
【図１】本実施形態に係るテレビジョン受像機を示す斜視図。
【図２】本実施形態に係るテレビジョン受像機の縦方向に沿った断面図。
【図３】本実施形態に係るテレビジョン受像機の前面ユニットを分解して示した斜視図。
【図４】本実施形態に係るテレビジョン受像機のフロントカバー部を前方から見た図である。
【図５】本実施形態に係るテレビジョン受像機のフロントカバー部の一部を前方から見た図である。
【図６】本実施形態に係るテレビジョン受像機のフロントカバー部を後方から見た図である。
【図７】本実施形態に係るテレビジョン受像機のフロントカバー部の一部を後方から見た図である。
【図８】本実施形態における化粧パネルとフロントカバー部との分離工程を示す図である。
【図９】本実施形態の変形例に係るテレビジョン受像機のフロントカバー部の一部を後方から見た図である。
【図１０】本実施形態の変形例における化粧パネルとフロントカバー部との分離工程を示す図である。
【発明を実施するための形態】
【０００９】
以下に、図１から図１０を参照して、電子機器の一例であるテレビジョン受像機の実施形態について説明する。
先ず、図１乃至図３を参照しながら、本実施例におけるテレビジョン受像機の構成について説明する。図１は、本実施形態に係るテレビジョン受像機を示す斜視図である。図２は、本実施形態に係るテレビジョン受像機の縦方向に沿った断面図である。図３は、本実施形態に係るテレビジョン受像機の前面ユニットを分解して示した斜視図である。
【００１０】
図１と図２に示すように、テレビジョン受像機１１は、液晶パネルを含んだ本体１２と、液晶パネル１６の前面を覆う前面ユニット１３と、を備えている。本体１２は、本体１２を支持する支持台として機能するスタンド１４と、スタンド１４の上方に支持される方形板状のフレーム１５と、フレーム１５の前面に取り付けられ、表示画面１６aを有するディスプレイの一例である液晶パネル１６と、液晶パネル１６を駆動するパネルコントローラ１７と、液晶パネル１６等に電力を供給する電源ユニット１８と、本体１２の背面側を覆う背面カバー１９と、を有している。図１に示すように、矢印Ｆは、テレビジョン受像機１の前方を示しており、矢印Ｒは、テレビジョン受像機１の後方を示している。
【００１１】
前面ユニット１３と背面カバー１９とによって、テレビジョン受像機１１の外殻である筐体が構成されている。パネルコントローラ１７および電源ユニット１８は、例えば、フレーム１５の背面に固定されている。本実施形態では、ディスプレイの一例として液晶パネル１６を用いているが、これに限定されるものではない。ディスプレイは、例えば、有機ＥＬ装置やプラズマディスプレイ等のその他の表示パネルであってもよい。
【００１２】
前面ユニット１３は、例えばねじ止め等の手段によってフレーム１５に固定されている。図３及び図４に示すように、前面ユニット１３は、化粧パネル２２と、化粧パネル２２の縁部を支持するフロントカバー部２３と、フロントカバー部２３に設けられた複数の貫通孔２４と、化粧パネル２２とフロントカバー部２３との間の位置に介在される複数の接着部材２７と、を有している。接着部材２７は、例えば両面テープであり、化粧パネル２２とフロントカバー部２３とを互いに接合する。
【００１３】
本実施例の化粧パネル２２は、上端部２２ａと、下端部２２ｂと、角部２２ｃ１〜２２ｃ４と、前面部２２ｄ、裏面部２２ｅとを有する。化粧パネル２２は、例えば、アクリル系の樹脂によって、方形をなした板状に形成されている。化粧パネル２２には、表示画面１６aを露出させる開口部２２１が設けられる。フロントカバー部２３は、上端部２３ａと、下端部２３ｂと、角部２３ｃ〜２３ｃ４と、前面部２３ｄ、裏面部２３ｅと、側壁部２３ｆとを有する。フロントカバー部２３には、化粧パネル２２の開口部２２１対応し、表示画面１６aを露出させる開口部２３１が設けられている。
【００１４】
化粧パネル２２は、非透明性を有する材料、又は透明度の低い材料等で構成され、フロントカバー部２３の少なくとも前面の一部分を覆ってテレビジョン受像機１１の前方からの美観を向上させることができる。
【００１５】
このように本実施例の化粧パネル２２は、フロントカバー部２３の表面を加飾するための板状の部材であり、例えば可撓性を有するプラスチック等の材料で構成され、剛性を有するガラスや金属等の材料と比較して取り付けの際にフロントカバー部２３や液晶パネル１６の表示画面１６aを傷つける可能性が低い。本実施例の化粧パネル２２はその柔軟性により、フロントカバー部２３から引き剥がされる工程において、化粧パネル２２自身、及びフロントカバー部２３が破損されることを低減できる。
【００１６】
これにより、化粧パネル２２やフロントカバー部２３は、分離後に変形・破損が生じることを免れるため、これらを再利用することができる。また、化粧パネル２２とフロントカバー部２３とが異なる材料で構成される場合は、これらの材料を廃棄する際に簡単に分別することができる。
【００１７】
本実施例では、化粧パネル２２とフロントカバー部２３との分離工程を例に挙げて説明するが、これに限らず、例えば液晶パネル１６の表示画面１６aやその周辺の領域を保護するための保護パネル（図示していない）にも適用可能であり、該保護パネルとフロントカバー部２３との引き剥がし作業も有効に機能させることができる。
【００１８】
次に図４乃至図８を参照しながら、本実施例における化粧パネル２２とフロントカバー部２３との引き剥がし作業に関し、効率化を可能にする構成について詳細に説明する。
【００１９】
図４は、本実施形態に係るテレビジョン受像機のフロントカバー部を前方から見た図である。図５は、本実施形態に係るテレビジョン受像機のフロントカバー部の一部を前方から見た図である。図６は、本実施形態に係るテレビジョン受像機のフロントカバー部を後方から見た図である。図７は、本実施形態に係るテレビジョン受像機のフロントカバー部の一部を後方から見た図である。図８は、本実施形態における化粧パネルとフロントカバー部との分離工程を示す図である。
【００２０】
図４及び図６に示すように、フロントカバー部２３では、開口部２３１の周辺フロントカバー部２３では、開口部２３１の周辺であって、下端部２３ｂ側の角部２３ｃ２及び角部２３ｃ３の近傍領域に、治具を挿入可能な開口部２３２が設けられている。尚ここで、治具とは、ドライバ等の棒状の部材を指す。
【００２１】
本実施例のフロントカバー部２３において、開口部２３１の周辺には、化粧パネル２２の膨張・伸縮を許容する開口部２３３や、回路基板（図示していない）等の収容部品を実装するための開口部２３４が設けられている。本実施例では、これらの開口部２３２〜２３４が化粧パネル２２により覆われるため外部に露出されることがない。
【００２２】
図５及び図７に示すように、フロントカバー部２３の開口部２３２の周辺には、筐体内部に向けて突出した突出部３００が設けられている。突出部３００は、筐体内から見て開口部２３２の少なくとも一部を覆う覆い部３０１と、開口部２３２の周縁から延びるとともに、覆い部３０１とフロントカバー部２３とに亘る一対の側壁部３０２とを有する。覆い部３０１は、開口部２３２を間に挟んで化粧パネル２２と対向した領域を有する。
【００２３】
図５、図７、及び図８に示すように、覆い部３０１は、フロントカバー部２３とは離れて位置した端部３０１ａと、フロントカバー部２３に連続した連続部３０１ｂと、端部３０１ａと連続部３０１ｂとに亘る斜面部３０１ｃを有する。斜面部３０１ｃは、フロントカバー部２３及び化粧パネル２２の延びる方向と交差する方向に延びている。即ち、本実施例のテレビジョン受像機１１を机の天板上等に載置させ、該天板に対して表示画面１６ａが略直交するように設けた場合、斜面部３０１ｃは、天板に対して傾斜した姿勢となる。
【００２４】
図７及び図８に示すように、フロントカバー部２３には、背面カバー１９と接合するための固定部材（図示していない）が嵌め込まれるボス部３０３が設けられる。ボス部３０３には、該ボス部３０３を支持する複数のボス支持部３０３ａが設けられている。
【００２５】
図７に示すように、本実施例の突出部３００は、ボス部３０３近傍に設けられる。具体的には、斜面部３０１ｃの一部がボス部３０３に侵入するように設けられる。また、斜面部３０１ｃは、ボス支持部３０３ａと一体に形成されている。ボス支持部３０３ａは、斜面部３０１ｃの中央部に沿うように伸びている。このような構成により、突出部３００の剛性を向上させることができる。
【００２６】
図７に示すように、フロントカバー部２３の裏面２３ｅには側壁２３ｆに沿って延びたリブ３０４が設けられている。本実施例の突出部３００は、リブ３０４近傍に設けられる。具体的には、斜面部３０１ｃの一部がリブ３０４に侵入するように設けられる。また、斜面部３０１ｃは、リブ３０４と一体に形成されている。リブ３０４は、端部３０１ａ周縁に沿うように伸びている。このような構成により、突出部３００の剛性を向上させることができる。
【００２７】
図５、図７、及び図８に示すように、覆い部３０１とフロントカバー部２３とは、筐体内部であって、上方に向かって開放された開口部３０２を形成する。この開口部３０２は、フロントカバー部２３の開口部２３２と連通している。即ち、フロントカバー部２３の後方（裏側）から開口部２３２に挿入された治具４００は、先ず開口部３０２を通り開口部２３２に至る。
【００２８】
ここで図８に示すように、治具４００が開口部２３２に達した状態、即ち治具４００の先端部４０１が開口部２３２を介して化粧パネル２２に当接した状態で、治具４００の先端部４０１とは反対側の端部（図示していない）を下側に押圧すると、治具４００は、端部３０１ａとの当接部４０２を支点に回動し、フロントカバー部２３の開口部２３２周辺から化粧パネル２２を分離させる。
【００２９】
図７に示すように、フロントカバー部２３の裏面２３ｅには、梃子の原理を利用して容易にフロントカバー部２３から化粧パネル２２の一部を分離させることを示唆するマーク３０５が設けられる。これによって作業者に対し、梃子の原理を利用してフロントカバー部２３から化粧パネル２２の一部を分離させることを把握させることができる。ここでは、マーク３０５がフロントカバー部２３に一体成型された場合を示したが、これに限らずシールや塗料等を用いて示唆しても良い。
【００３０】
このように、本実施例では、梃子の原理を利用して容易にフロントカバー部２３から化粧パネル２２の一部を分離させることができる。上述した通り、本実施例の開口部２３２は、フロントカバー部２３の角部２３ｃ２、２３ｃ３であって、下端部２３ｂに位置する。従って、治具４００により剥離された化粧パネル２２の部位は、該化粧パネル２２の端部であり、該部位を把持することで容易にフロントカバー部２３と化粧パネル２２とを分離させることができる。
【００３１】
本実施例では、開口部３０２は、上方に向かって開放されている。また、開口部３０２からフロントカバー部２３の開口部２３２までの間には斜面部３０１ｃが存在するため、フロントカバー部２３の上端部２３ａ側から開口部３０２に差し込んだ治具４００は、斜面部３０１ｃに導かれ、スムーズに開口部２３２に至る。
【００３２】
このような構成により、本実施例では、化粧パネル２２とフロントカバー部２３との分離工程の一工程である治具４００の差し込み作業を簡易にでき、作業性を向上させることができる。
【００３３】
本実施例では、ボス部３０３やリブ３０４と一体に突出部３００が設けられる。例えば治具４００を開口部３０２に差し込み、梃子の原理を利用してフロントカバー部２３から化粧パネル２２の一部を分離させる動作をした場合、突出部３００の特に端部３０１ａにストレスがかかるが、本実施例に示す通り、突出部３００をボス部３０３やリブ３０４と一体に設けることで剥離作業時のストレスに対する耐性を向上させることができる。
【００３４】
本実施例では、突出部３００は、フロントカバー部２３と一体に設けられている。これにより、フロントカバー部２３と別体に設けられている構成と比較し、剥離作業時のストレスに対する耐性を向上させることができる。
【００３５】
次に、図９及び図１０を参照しながら、図９は、本実施形態の変形例に係るテレビジョン受像機のフロントカバー部の一部を後方から見た図である。図１０は、本実施形態の変形例における化粧パネルとフロントカバー部との分離工程を示す図である。本実施例のテレビジョン受像機１１の変形例について説明する。なお上記第１の実施形態の構成と同一または類似の機能を有する構成は、同一の符号を付してその説明を省略する。また、下記に説明する以外の構成は、上記第１の実施形態と同じである。
【００３６】
図９及び図１０に示すように、本変形例では、ボス部３０３と突出部３００とが、上記第１の実施形態の構成と比較して離れて位置している。ここでは、突出部３００は、リブ３０４と一体に設けられている。リブ３０４は、斜面部３０１ｃの中央部に沿うように伸びた補強部３０４ａを有している。補強部３０４ａの肉厚は、リブ３０４の他の部分の肉厚よりも厚く設けられている。補強部３０４ａは、ボス支持部３０３ａと連続している。このような構成により、上記第１の実施形態と同様に突出部３００の剛性を向上させることができる。
【００３７】
このように第１の実施形態と、その変形例を用いることで、テレビジョン受像機１１のサイズ変更や実装部品の配置変更等の設計自由度を向上させることができる。
本発明の電子機器は、テレビジョン受像機に限らず、例えばパソコン用のディスプレイとしても実施可能である。その他、電子機器は、発明の要旨を逸脱しない範囲で種々変形して実施することができる。
【符号の説明】
【００３８】
１１…テレビジョン受像機
１２…本体
１３…前面ユニット
１６…液晶パネル
１６ａ…表示画面
１９…背面カバー
２２…化粧パネル
２３…フロントカバー部
２４…貫通孔
３００…突出部
３０３…ボス部
３０４…リブ
４００…治具
【図１】
2011158670.tif 000003
【図２】
2011158670.tif 000004
【図３】
2011158670.tif 000005
【図４】
2011158670.tif 000006
【図５】
2011158670.tif 000007
【図６】
2011158670.tif 000008
【図７】
2011158670.tif 000009
【図８】
2011158670.tif 000010
【図９】
2011158670.tif 000011
【図１０】
2011158670.tif 000012
【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
表示画面を有した表示装置と、
前記表示装置が収容され、前記表示画面が露出された第１開口部と、この第１開口部周辺に位置する第２開口部とが設けられた筐体と、
前記第２開口部を覆った覆い部材と、
前記筐体内に設けられ、前記覆い部材とは反対側から前記第２開口部の少なくとも一部を覆った部分と、前記第２開口部が前記筐体内部に露出された第３開口部とが設けられた覆い部と、
を有することを特徴とする電子機器。
【請求項２】
前記第２開口部は、前記表示画面の角部近傍に位置することを特徴とする請求項１に記載の電子機器。
【請求項３】
前記筺体を支持する支持部をさらに有し、
前記覆い部材は、第１端部と、この第１端部よりも前記支持部から離れて位置した第２端部とを有し、
前記第２開口部は、前記第１端部よりも前記第２端部側に位置することを特徴とする請求項２に記載の電子機器。
【請求項４】
前記第３開口部は、前記支持部とは反対側に開口されていることを特徴とする請求項３に記載の電子機器。
【請求項５】
前記覆い部の少なくとも一部の肉厚は、該覆い部周辺の領域よりも厚いことを特徴とする請求項４に記載の電子機器。
【請求項６】
前記筐体は、前記第１開口部と前記第２開口部と前記覆い部とが設けられた第１部材と、第２部材と、前記第１部材と前記第２部材とを固定させる固定部材が挿入されたボス部とを有し、
前記覆い部は、前記ボス部に設けられたことを特徴とする請求項５に記載の電子機器。
【請求項７】
前記筐体は、前記第１開口部と、該第１開口部周縁を囲んだリブとが設けられたカバー部材を有し、
前記覆い部は、前記リブに設けられたことを特徴とする請求項５に記載の電子機器。